(57)【要約】【課題】  スーパーマーケット・一般商店等の代金精算コーナーや宅配便の運転席等に簡便に設置して、釣銭対象の受取り紙幣や伝票類が、簡便に一時差し込みセットできる紙幣・ペーパー類の挟みホルダーを提供する。【解決手段】  折れ曲げ重合自在にして、かつ、自由状態でチューブ形状維持性を有する樹脂チューブ４を、長さ中心で折り曲げ重合して偏平にした偏平チューブ体のクランプ素体２群を、該折り曲げ部位を上端にして隣接間を接合状態に一列配設したホルダー主部５を台枠部１０に装着し、クランプ素体２群の隣接間にペーパー類Ｐの差し込みセットと取り出しを自在にした構造の紙幣・ペーパー類の挟みホルダー１が特徴である。【選択図】      図１
2006321116.tif 000002
【特許請求の範囲】
【請求項１】
折れ曲げ重合自在にして、かつ、自由状態でチューブ形状維持性を有する樹脂チューブを、長さ中心で折り曲げ重合して偏平にした偏平チューブ体のクランプ素体群を、該折り曲げ部位を上端にして隣接間を接合状態に一列配設したホルダー主部を台枠部に装着し、該クランプ素体群の隣接間にペーパー類の差し込みセットと取り出しを自在にした構造を特徴とする紙幣・ペーパー類の挟みホルダー。
【請求項２】
樹脂チューブが、ストロー用樹脂チューブから成る請求項１に記載の紙幣・ペーパー類の挟みホルダー。
【発明の詳細な説明】
【技術分野】
【０００１】
本発明は、紙幣や「カード類・商品取引伝票・商品取引書・駐車券・道路通行券等の紙質・樹脂質のペーパー類」を簡便に差し込んで引き抜き自在に保持する紙幣・ペーパー類の挟みホルダーに関するものである。
【背景技術】
【０００２】
スーパーマーケット・通常の商品売買店・飲食店等において、商品購入者・飲食者が購入代金・飲食代金を支払うに際して、その支払者が紙幣を出して釣り銭を求めるときは、レジ（精算所）近傍のテーブルやトレイに、その紙幣を一時置きして釣り銭支払する精算手法が多く普及しており、また、商品取引きにおける請求書・領収書等の取引書類は、取引時にテーブル上に一時置きしたり、宅配便者の運転席等に一時置きして、後刻整理ファイルする商慣習が広く定着している。
【０００３】
一方、一般の業務上の事務書類や家庭内書類は、区分別に層別して整理ファイルする必要があるので、特許文献１に示す「紙綴じクリップ」の公知例があり、区分整理した書類をスタンド型のクリップに上方から挿入クランプして保持したり、必要に応じて引き抜いて使用可能にした構造を特徴としている。
【０００４】
【特許文献１】実用新案登録第３０６６４０８号公報
【発明の開示】
【発明が解決しようとする課題】
【０００５】
前記の従来の「釣り銭支払の精算手法」は、前払いされて一時置きした紙幣が釣り銭支払者・釣り銭受取り者のいずれかが正確に「一べつ視人確認できない」ケースが生ずるので、その前払い紙幣の金額誤認によって釣り銭授受に際してトラブルを生ずるケースがある。そして、前記の業務上書類や家庭内書類の一時置き処理は、書類の紛失や区分ミスによる書類混乱を生ずることがある。
【０００６】
そして、特許文献１の「紙綴じクリップ」は、対向１対に立設したばね板間の上方から、書類群を一括して引き抜き自在に挿入クランプして書類綴する形態であることから、大形にして単体では書面の区分別クランプ・単枚別クランプの機能は無く、その上紙幣の差し込みセットは不適にして前記の商品取引実情に照らしたトラブルを解消する用法には適しない。
【０００７】
本発明は、以上の背景技術の難点を解消する「紙幣・ペーパー類の挟み保持ホルダー」を提供するものである。
【課題を解決するための手段】
【０００８】
以上の技術課題を解決する本発明の「紙幣・ペーパー類の挟み保持ホルダー」は「折れ曲げ重合自在にして、かつ、自由状態でチューブ形状維持性を有する樹脂チューブ」を、長さ中心で折り曲げ重合して偏平にした偏平チューブ体のクランプ素体群を、該折り曲げ部位を上端にして隣接間を接合状態に一列配設したホルダー主部を台枠部に装着し、該クランプ素体群の隣接間にペーパー類の差し込みセットと取り出しを自在にした構造」が特徴である。
【０００９】
即ち、前記構成の本発明の「紙幣・ペーパー類の挟み保持ホルダーのホルダー主部」は広く普及している例えばストロー用樹脂チューブを活用するものにして、その樹脂チューブを所要長にカットして１８０°折り曲げして偏平形態にしたものを密着状に並設立設して前記のクランプ素体群を形成し、そのクランプ素体間の表面の良好な滑り特性と若干の弾性膨縮性を活用して、紙幣等の薄ペーパー体の良好な差し込みクランプ性を確保し、かつ、上方から軽く滑り引き抜き可能にした思想を特徴とするものである。
【００１０】
なお、前記の偏平形態とは、チューブ体を押し潰して重合するチューブ周壁を密着固定する完全な板状体ではなく、押し潰したチューブ体のチューブ壁間にチューブ体自体の弾性によって少量の空隙が残存している形態を意味する。
【００１１】
そして、前記構成の本発明の「紙幣・ペーパー類の挟みホルダー」は、前記クランプ素体群を１０〜３０個等必要数の群にして構成すると共に、差し込み保持したペーパー類等を安定して保持するに足るベース板を、必要に応じて前記台枠部の下面に脱着自在に付設する形態を採択する。
【発明の効果】
【００１２】
前記構成の本発明の「紙幣・ペーパー類の挟みホルダー」は、ホルダー主部を構成する前記クランプ素体群の各各が表面平滑にして滑り特性に優れると共に、そのクランプ素体の隣接間が「差し込みスロット」として機能する。そしてその「差し込みスロット」の上端が折り曲げ点を頂点にするＶ字形挿入口形態を呈し、さらに、その偏平形態を自力で若干量弾性膨出変形させたり外力によって圧縮弾性変形する特性を有するので、そのクランプ主部間の「差し込みスロット」に「使い古したヨレヨレの紙幣・薄紙書面・厚めの伝票類・カード類」のいずれも極めて容易に差し込んでワンタッチ的に的確に挟着セット保持できる。そして、その状態から引き上げることによって極めて容易に滑り移動して取り出し自在と成る特有の作用がある。
【００１３】
そして、前記クランプ素体群を必要数の１列群として小形に構成できるので、安価にして実用性に優れ、多数の紙幣・ペーパー類の単枚別差し込みセット・区分別差し込みセットが可能にして、物品販売等の料金精算所や事務机上・運送車等の車内・一般家庭にもセットし易く、前記の解決すべき課題が解消できる。以上の特有の作用がある。
【発明を実施するための最良の形態】
【００１４】
以下、本発明の好ましい実施例を説明する。
【実施例】
【００１５】
図１・図２を参照してスーパーマーケット・各種物品販売店または飲食店の料金精算所等にセットして使用する形態の「紙幣・ペーパー類ホルダー１（以下、単にホルダー１という）」を説明する。即ち、この実施例のホルダー１は（図１（Ｃ）参照）広く普及している樹脂製のストローチューブ４を所定長Ｌに切断して１８０°折り曲げしてチューブを偏平にしたクランプ素体２が主たる構成素体に成っている。
【００１６】
そして、同一サイズのクランプ素体２を１０〜５０等の所要数ワンセットにして、折り曲げ端３を上端にして隣接相互の偏平外周を接合させた縦姿勢一列に組合せてホルダー主部５が構成され、このホルダー主部５のそれぞれのクランプ素体２の隣接間が、紙幣・ペーパー類を差し込んで保持する「差し込みスロット６」に成っている。
【００１７】
なお、このホルダー主部５は使用中のペーパー類の「差し込み抵抗・引き抜き抵抗」によって個個のクランプ素体２が隣接のものと相対滑りして浮き上がって前記整列姿勢が崩れるのを防止する為に、クランプ素体２の個個の下端近傍に「ロックバー８を挿着する連結孔７」が設けてある。
【００１８】
そして、このホルダー主部５は両端面を接合する壁板９を有する上方開口剛性箱の台枠ケース１０（前記構成要件の台枠部）に下端部分を収納し、ロックピン８の両端を台枠ケース１０の内周に固定して、台枠ケース１０に装着固定されてホルダー１が形成されている。
【００１９】
なお、この実施例のクランプ主部２は、外直径６．０粍・肉厚０．２５粍のストロー樹脂チューブを５０粍長に切断したものが用いてあり、台枠ケース１０はホルダー１の使用時の安定性を図る意図でベース板１２が必要に応じて設けられ、購入商品代金・飲食代金の精算所のテーブル上や宅配車の運転席・事務所机上等に設置して、紙幣・カード類・書類のペーパー類Ｐを差し込みセット用として多種多様のペーパー類ホルダーとして広く使用される。
【００２０】
続いて図３を参照して本発明のホルダー１の他の実施例を説明する。即ち、前記実施例と同一構造のものにおいて、図３（Ａ）に示すものは台枠ケース１０とベース板１２が、着脱自在の「磁石と磁石吸着板」または「脱材自在のベルベットファスナー板１４」によって着脱自在に形成されている。そして、図３（Ｂ）のものはホルダー１が、壁掛板１３に差し込みスロット６を正面にして横向きセットされており、事務所・家庭内において任意に壁掛けしてペーパー類を差し込みセットする横型形態に成っている。
【００２１】
以上の実施例のホルダー１は、前記の本発明の作用効果があり、古びた紙幣・単枚の書面ペーパー・薄樹脂板のカード類・領収書・請求書等の薄目・厚目の多様サイズの諸ペーパー類Ｐが、クランプ素体２の隣接間の差し込みスロット６の上端から軽く押し入れることによってクランプ保持できる。
【００２２】
即ち、薄いペーパー類は差し込みスロット６のクランプ素体２の弾性反力によってクランプされ、厚いペーパー類はクランプ素体２がロックバー８に沿って相対滑りして間隔を開いて「差し込みスロット６」を大にして受け入れてクランプ保持する。そして、そのクランプ状態のものを軽く引き上げることによって極めて容易に取り出しできる。そして、それ等が引き抜かれるとクランプ素体２のそれぞれは自己の弾性反力によってフリー姿勢に自力復元して次のペーパー類のクランプ機能を復元する。
【００２３】
そして、そのクランプ素体２が多数立設形態であることから、多数枚のペーパー類Ｐを１枚づつ個別に挿入クランプしたり、異なる内容のペーパー類Ｐを区別して差し込みセットすることができると共に、全形が極めて小形コンパクトであることから、前記の料金精算所や宅配便等の車体内にも極めて便利簡便にセットして有用に活用できる。
【００２４】
そして、図３実施例のものはベース板１２と着脱自在にして、ベース板１２を車体振動等によって容易に移動しないものに設定しておくことによって、自動車内や作業中の手が接触し易い料金精算所等において姿勢を安定させて便利に利用できる。
【００２５】
以上の作用効果から、前記実施例のホルダー１は前記の従来技術の難点を解消して、釣り銭精算の料金支払のトラブルを解消すると共に、伝票・帳票等の一時保持セットが簡便的確にして商取引・一般事務処理・一般家庭内の紙幣・ペーパー類の整理・保持の特段の便宜を向上する有用な効果がある。
【図面の簡単な説明】
【００２６】
【図１】本発明１実施例の「紙幣・ペーパー類の挟み込みホルダー」を示し、（Ａ）はその全体斜視図、（Ｂ）はその構造説明の正面図、（Ｃ）はそのクランプ素体の構造説明図
【図２】図１実施例の挟み込みホルダーの６面図をを示し、（Ａ）はその正面図（背面図は正面図と同一にあらわれる）、（Ｂ）はその右側面図（左側面図は右側面図と同一にあらわれる）、（Ｃ）はその平面図、（Ｄ）はその底面図
【図３】本発明の「挟みホルダー」の他の実施例を示し、（Ａ）（Ｂ）ともその正面図
【符号の説明】
【００２７】
１  紙幣・ペーパー類ホルダー
２  クランプ素体
３  折り曲げ端
４  ストローチューブ
５  ホルダー主部
６  差し込みスロット
７  連結孔
８  ロックバー
１０  台枠ケース
１２  ベース板
Ｐ  ペーパー類
【図１】
2006321116.tif 000003
【図２】
2006321116.tif 000004
【図３】
2006321116.tif 000005